(57)【要約】【課題】  受信側装置が制御する無線接続方法及びシステムの提供。【解決手段】  接続要求ステップ、呼び出しステップ、呼び出しメッセージ受信ステップ、呼び出し通知ステップ、を具え、受信側装置が接続成立の前に呼び出し通知を使用者に提示し、使用者が今回の通話を拒絶すると、今回の接続を構築せず、ゆえに接続構築時に消耗する電気エネルギーを節約でき、使用者が受け取りを選択するなら、一般プロセスにより今回の接続を構築する。【選択図】        図３
2006197201.tif 000002
【特許請求の範囲】
【請求項１】
受信側装置が制御する無線接続方法において、この方法は発信側装置がネットワークを通して受信側装置に接続の構築を要求し、各受信側装置に識別コードが設けられ、該方法は、
発信側装置がネットワークに対して接続メッセージを送信して受信側装置との接続構築を要求する、接続要求ステップと、
ネットワークが該接続メッセージにより受信側装置の識別コードを包含する呼び出しメッセージをブロードキャスト発信する、呼び出しステップと、
受信側装置が該呼び出しメッセージを受信する、呼び出しメッセージ受信ステップと、  該受信側装置が該呼び出しメッセージの識別コードと受信側装置の識別コードを対比してそれが符合し、並びに目的が通話通知であると確認すると、受信側装置上に呼び出し通知を提示する、呼び出し通知ステップと、
を具えたことを特徴とする、受信側装置が制御する無線接続方法。
【請求項２】
請求項１記載の受信側装置が制御する無線接続方法において、
待ち時間を計算する、計時ステップと、
該待ち時間が第１設定時間より小さく且つ受信側装置の使用者が電話を取る時、該受信側装置が接続構築応答を発信してネットワークを通して受信側装置と接続構築する、接続構築ステップと、
を更に具えたことを特徴とする、受信側装置が制御する無線接続方法。
【請求項３】
請求項２記載の受信側装置が制御する無線接続方法において、
待ち時間が第１設定時間を超過する時、受信側装置が呼び出し通知提示を中心する、提示中止ステップ、
を更に具えたことを特徴とする、受信側装置が制御する無線接続方法。
【請求項４】
請求項２記載の受信側装置が制御する無線接続方法において、
ネットワークが呼び出しメッセージを発信し並びに第２設定時間内に接続構築応答を受け取らない時に、未受信処理プロセスを実行する、オーバータイム判断ステップ、
を更に具えたことを特徴とする、受信側装置が制御する無線接続方法。
【請求項５】
請求項４記載の受信側装置が制御する無線接続方法において、未受信処理ステップでは未受信の受信側装置の使用者の音声メールボックスに進入することを特徴とする、受信側装置が制御する無線接続方法。
【請求項６】
請求項１記載の受信側装置が制御する無線接続方法において、呼び出しステップで、ネットワークの発信する呼び出しメッセージ中に発信側装置のソースコードが包含されることを特徴とする、受信側装置が制御する無線接続方法。
【請求項７】
請求項６記載の受信側装置が制御する無線接続方法において、発信側装置のソースコードがその電話番号とされたことを特徴とする、受信側装置が制御する無線接続方法。
【請求項８】
請求項６記載の受信側装置が制御する無線接続方法において、呼び出し通知ステップで、呼び出し通知が発信側装置のソースコードを包含することを特徴とする、受信側装置が制御する無線接続方法。
【請求項９】
請求項６記載の受信側装置が制御する無線接続方法において、呼び出し通知ステップが、変換通知ステップを具え、該変換通知ステップでは、発信側装置のソースコードを受信側装置の対応テーブルでサーチして個別化された呼び出し通知を提示することを特徴とする、受信側装置が制御する無線接続方法。
【請求項１０】
請求項９記載の受信側装置が制御する無線接続方法において、個別化呼び出し通知が、設定イメージとされたことを特徴とする、受信側装置が制御する無線接続方法。
【請求項１１】
請求項９記載の受信側装置が制御する無線接続方法において、個別化呼び出し通知が、設定音源とされたことを特徴とする、受信側装置が制御する無線接続方法。
【請求項１２】
受信側装置が制御する無線接続システムにおいて、
それぞれに識別コードが設置された少なくとも一つの受信側装置と、
接続メッセージを発生して受信側装置との接続構築を要求する少なくとも一つの発信側装置と、
該接続メッセージを受け取った後に受信側装置の識別コードを包含する呼び出しメッセージをブロードキャスト発信するネットワークと、
を具え、各受信側装置が該呼び出しメッセージを受け取った後に、呼び出しメッセージの識別コードと受信側装置の識別コードを対比してそれが符合した時、受信側装置に呼び出し通知を提示することを特徴とする、受信側装置が制御する無線接続システム。
【請求項１３】
請求項１２記載の受信側装置が制御する無線接続システムにおいて、少なくとも一つの受信側装置が無線受信装置を具え、該無線受信装置がネットワークがブロードキャスト発信した呼び出しメッセージを受け取り、受信側装置の通信ソフトが該呼び出しメッセージの識別コードを受信側装置の識別コードと対比し、それが符合する時、受信側装置のマンマシンインタフェースに呼び出し通知を提示するよう要求することを特徴とする、受信側装置が制御する無線接続システム。
【請求項１４】
請求項１２記載の受信側装置が制御する無線接続システムにおいて、ネットワークが発信側装置の発信する接続メッセージを受け取り、並びに呼び出しメッセージをブロードキャスト発信することを特徴とする、受信側装置が制御する無線接続システム。
【請求項１５】
請求項１２記載の受信側装置が制御する無線接続システムにおいて、受信側装置が待ち時間を計算する計時メカニズムを具えたことを特徴とする、受信側装置が制御する無線接続システム。
【請求項１６】
請求項１５記載の受信側装置が制御する無線接続システムにおいて、待ち時間が設定時間より短く且つ受信側装置の使用者が電話を取る時、受信側装置が接続構築応答を発信してネットワークを通して発信側装置と接続構築することを特徴とする、受信側装置が制御する無線接続システム。
【請求項１７】
請求項１５記載の受信側装置が制御する無線接続システムにおいて、待ち時間が設定時間を超過する時、受信側装置が呼び出し通知提示を中止することを特徴とする、受信側装置が制御する無線接続システム。
【請求項１８】
請求項１２記載の受信側装置が制御する無線接続システムにおいて、ネットワークが発信する呼び出しメッセージが発信側装置のソースコードを包含することを特徴とする、受信側装置が制御する無線接続システム。
【請求項１９】
請求項１８記載の受信側装置が制御する無線接続システムにおいて、受信側装置がソースコードを発信側装置に対応させた対応テーブルを保存した個人データベースを具えたことを特徴とする、受信側装置が制御する無線接続システム。
【請求項２０】
請求項１９記載の受信側装置が制御する無線接続システムにおいて、個人データベース中にソースコードに対応する設定イメージが保存されたことを特徴とする、受信側装置が制御する無線接続システム。
【請求項２１】
請求項１９記載の受信側装置が制御する無線接続システムにおいて、個人データベース中にソースコードに対応する設定音源が保存されたことを特徴とする、受信側装置が制御する無線接続システム。
【発明の詳細な説明】
【技術分野】
【０００１】
本発明は一種の無線接続方法及びシステムに係り、特に、受信側装置が制御する無線接続方法及びシステムに関する。
【背景技術】
【０００２】
携帯通信装置、例えば第２／第３世代携帯電話或いはＰＨＳ等は既に人類の生活に不可欠となっており、並びに全体の携帯電話産業の趨勢は、いずれも携帯電話体積の減少、パワーアップ、及び待機時間延長の方向に向けて前進しており、現在電池の関係技術には突破的な改善がなく、消耗する電気エネルギーの減少は待機時間延長の最も有効な方式である。
【０００３】
図１、２を参照されたい。図１は周知の接続拒否表示図である。図３は周知の接続表示図である。図示されるように、発信側装置１１が受信側装置１２と接続を望む時、発信側装置１１は接続メッセージ２０１をネットワーク１０に発送し、ネットワーク１０が呼び出しメッセージ（Ｐａｇｉｎｇ  Ｍｅｓｓａｇｅ）２０２をブロードキャスト発送し、メッセージ中には受信側装置１２の識別コードが包含される。受信側装置１２は無線受信装置１２０、通信ソフト１２１、及びマンマシンインタフェース１２２を具え、無線受信装置１２０はネットワーク１０からの呼び出しメッセージ２０２を受け取り、並びに通信ソフト１２１に呼び出しメッセージ２０２の付帯する識別コードが受信側装置１２自身の具備する識別コードと符合するかを判断させる。もし結果が符合すれば、無線受信装置１２０はネットワーク１０と接続を構築し、通信ソフト１２１はこの接続を通してネットワークと制御命令を交換し（Ｓｉｇｎａｌｉｎｇ実行）、並びに発信側装置１１の電話番号をマンマシンインタフェース１２２に送り、その後、マンマシンインタフェースが使用者１４に呼び出し通知を提示する。この時、使用者１４は発信側装置１１の電話番号を知る事ができる。ここまでのフローは電話をとるかとらないかに関わらず、完全に同じである。図１に示されるように、もし使用者が受信を拒否する場合、例えば会議中で携帯電話に出る事ができない時、或いは離れた位置の時に携帯電話が鳴った時など、先に構築された接続は浪費と同じであり、大量の電源とネットワーク周波数幅が損耗する。もし使用者が受信を決定すると、図２に示されるように、先に構築された接続は直接使用可能で、並びに浪費の情況は発生しない。
【発明の開示】
【発明が解決しようとする課題】
【０００４】
本発明は受信側装置が制御する無線接続方法及びシステムを提供することを目的としている。
【課題を解決するための手段】
【０００５】
請求項１の発明は、受信側装置が制御する無線接続方法において、この方法は発信側装置がネットワークを通して受信側装置に接続の構築を要求し、各受信側装置に識別コードが設けられ、該方法は、
発信側装置がネットワークに対して接続メッセージを送信して受信側装置との接続構築を要求する、接続要求ステップと、
ネットワークが該接続メッセージにより受信側装置の識別コードを包含する呼び出しメッセージをブロードキャスト発信する、呼び出しステップと、
受信側装置が該呼び出しメッセージを受信する、呼び出しメッセージ受信ステップと、  該受信側装置が該呼び出しメッセージの識別コードと受信側装置の識別コードを対比してそれが符合し、並びに目的が通話通知であると確認すると、受信側装置上に呼び出し通知を提示する、呼び出し通知ステップと、
を具えたことを特徴とする、受信側装置が制御する無線接続方法としている。
請求項２の発明は、請求項１記載の受信側装置が制御する無線接続方法において、
待ち時間を計算する、計時ステップと、
該待ち時間が第１設定時間より小さく且つ受信側装置の使用者が電話を取る時、該受信側装置が接続構築応答を発信してネットワークを通して受信側装置と接続構築する、接続構築ステップと、
を更に具えたことを特徴とする、受信側装置が制御する無線接続方法としている。
請求項３の発明は、請求項２記載の受信側装置が制御する無線接続方法において、
待ち時間が第１設定時間を超過する時、受信側装置が呼び出し通知提示を中心する、提示中止ステップ、
を更に具えたことを特徴とする、受信側装置が制御する無線接続方法としている。
請求項４の発明は、請求項２記載の受信側装置が制御する無線接続方法において、
ネットワークが呼び出しメッセージを発信し並びに第２設定時間内に接続構築応答を受け取らない時に、未受信処理プロセスを実行する、オーバータイム判断ステップ、
を更に具えたことを特徴とする、受信側装置が制御する無線接続方法としている。
請求項５の発明は、請求項４記載の受信側装置が制御する無線接続方法において、未受信処理ステップでは未受信の受信側装置の使用者の音声メールボックスに進入することを特徴とする、受信側装置が制御する無線接続方法としている。
請求項６の発明は、請求項１記載の受信側装置が制御する無線接続方法において、呼び出しステップで、ネットワークの発信する呼び出しメッセージ中に発信側装置のソースコードが包含されることを特徴とする、受信側装置が制御する無線接続方法としている。
請求項７の発明は、請求項６記載の受信側装置が制御する無線接続方法において、発信側装置のソースコードがその電話番号とされたことを特徴とする、受信側装置が制御する無線接続方法としている。
請求項８の発明は、請求項６記載の受信側装置が制御する無線接続方法において、呼び出し通知ステップで、呼び出し通知が発信側装置のソースコードを包含することを特徴とする、受信側装置が制御する無線接続方法としている。
請求項９の発明は、請求項６記載の受信側装置が制御する無線接続方法において、呼び出し通知ステップが、変換通知ステップを具え、該変換通知ステップでは、発信側装置のソースコードを受信側装置の対応テーブルでサーチして個別化された呼び出し通知を提示することを特徴とする、受信側装置が制御する無線接続方法としている。
請求項１０の発明は、請求項９記載の受信側装置が制御する無線接続方法において、個別化呼び出し通知が、設定イメージとされたことを特徴とする、受信側装置が制御する無線接続方法としている。
請求項１１の発明は、請求項９記載の受信側装置が制御する無線接続方法において、個別化呼び出し通知が、設定音源とされたことを特徴とする、受信側装置が制御する無線接続方法としている。
請求項１２の発明は、受信側装置が制御する無線接続システムにおいて、
それぞれに識別コードが設置された少なくとも一つの受信側装置と、
接続メッセージを発生して受信側装置との接続構築を要求する少なくとも一つの発信側装置と、
該接続メッセージを受け取った後に受信側装置の識別コードを包含する呼び出しメッセージをブロードキャスト発信するネットワークと、
を具え、各受信側装置が該呼び出しメッセージを受け取った後に、呼び出しメッセージの識別コードと受信側装置の識別コードを対比してそれが符合した時、受信側装置に呼び出し通知を提示することを特徴とする、受信側装置が制御する無線接続システムとしている。
請求項１３の発明は、請求項１２記載の受信側装置が制御する無線接続システムにおいて、少なくとも一つの受信側装置が無線受信装置を具え、該無線受信装置がネットワークがブロードキャスト発信した呼び出しメッセージを受け取り、受信側装置の通信ソフトが該呼び出しメッセージの識別コードを受信側装置の識別コードと対比し、それが符合する時、受信側装置のマンマシンインタフェースに呼び出し通知を提示するよう要求することを特徴とする、受信側装置が制御する無線接続システムとしている。
請求項１４の発明は、請求項１２記載の受信側装置が制御する無線接続システムにおいて、ネットワークが発信側装置の発信する接続メッセージを受け取り、並びに呼び出しメッセージをブロードキャスト発信することを特徴とする、受信側装置が制御する無線接続システムとしている。
請求項１５の発明は、請求項１２記載の受信側装置が制御する無線接続システムにおいて、受信側装置が待ち時間を計算する計時メカニズムを具えたことを特徴とする、受信側装置が制御する無線接続システムとしている。
請求項１６の発明は、請求項１５記載の受信側装置が制御する無線接続システムにおいて、待ち時間が設定時間より短く且つ受信側装置の使用者が電話を取る時、受信側装置が接続構築応答を発信してネットワークを通して発信側装置と接続構築することを特徴とする、受信側装置が制御する無線接続システムとしている。
請求項１７の発明は、請求項１５記載の受信側装置が制御する無線接続システムにおいて、待ち時間が設定時間を超過する時、受信側装置が呼び出し通知提示を中止することを特徴とする、受信側装置が制御する無線接続システムとしている。
請求項１８の発明は、請求項１２記載の受信側装置が制御する無線接続システムにおいて、ネットワークが発信する呼び出しメッセージが発信側装置のソースコードを包含することを特徴とする、受信側装置が制御する無線接続システムとしている。
請求項１９の発明は、請求項１８記載の受信側装置が制御する無線接続システムにおいて、受信側装置がソースコードを発信側装置に対応させた対応テーブルを保存した個人データベースを具えたことを特徴とする、受信側装置が制御する無線接続システムとしている。
請求項２０の発明は、請求項１９記載の受信側装置が制御する無線接続システムにおいて、個人データベース中にソースコードに対応する設定イメージが保存されたことを特徴とする、受信側装置が制御する無線接続システムとしている。
請求項２１の発明は、請求項１９記載の受信側装置が制御する無線接続システムにおいて、個人データベース中にソースコードに対応する設定音源が保存されたことを特徴とする、受信側装置が制御する無線接続システムとしている。
【発明の効果】
【０００６】
本発明の受信側装置が制御する無線接続方法は、接続要求ステップ、呼び出しステップ、呼び出しメッセージ受信ステップ、呼び出し通知ステップ、を具えている。システム中には受信側装置、送信側装置、及びネットワークが包含される。ネットワークが送信側装置の送信した接続メッセージを受け取った後、呼び出しメッセージをブロードキャスト送信し、呼び出しメッセージ中には受信側装置の識別コードが付帯される。各受信側装置は呼び出しメッセージを受け取り、並びに上述の呼び出しメッセージの識別コードと自身の識別コードを比較してそれが符合する時、受信側装置に呼び出し通知を提示し、受信側装置の使用者に電話を取るか否かを決定させる。もし使用者が電話をとれない場合は、ネットワークは設定時間待った後に未受信処理プロセスを自動実行し、一方で、受信側装置はまた設定時間待った後に呼び出し通知を停止する。使用者が電話受信を拒否するなら、ネットワークは同様に設定時間末端後に未受信処理プロセスを実行する。こうして接続構築時期に消耗されるエネルギーを省略でき、接続が未構築であるため、周波数幅の浪費も防止できる。これにより、本発明は接続拒否時に浪費される資源の問題を改善できる。
【０００７】
ネットワークが所定時間待っても接続応答を未受信の時、未受信処理プロセスが実行され、このプロセスでは、未受信の受信側装置の使用者音声メールボックスに進入するか、或いは直接今回の呼び出しを直接中断するか、或いは発信側装置に接続不能であることを発信側装置に通知する等の各種の類似の処理プロセスとされうる。
【０００８】
使用者が設定時間内に電話を取る時、受信側装置は接続構築応答を発生し、ネットワークを通して発信側装置とエンドツーエンド（ｅｎｄ−ｔｏ−ｅｎｄ）サービスを構築し、通話を行なえる。
【０００９】
このほか、上述のネットワークの発生する呼び出しメッセージは更に発信側装置のソース番号を包含し、このソース番号はその電話番号、或いは発信側装置のネットワーク上のコード等、識別能力を有する各種のコードとされうる。こうして、受信側装置が呼び出し通知の提示を受ける時、発信側装置の電話番号、コード等が併せて使用者に通知される。
【００１０】
当然、受信側装置は更に個人データベースを包含し得て、それには発信側装置に対応する各種のイメージ、例えば写真、画像等の識別能力を有するイメージが保存されるか、或いは各種の音源、例えば携帯電話の呼び出しベル音、音楽、録音された音声等の各種の識別能力を有する音源が保存されて、受信側装置が提示する呼び出し通知が多様性を具備するものとされる。
【００１１】
本発明は各種の通信協定のシステムに応用可能で、例えばＧＳＭシステム、ＧＰＲＳシステム、第３世代携帯通信システム（例えばＷＣＤＭＡ及びＣＤＭＡ２０００）等の通信協定に応用され、本発明の方法を使用してもその規格が変更されることがない。
【発明を実施するための最良の形態】
【００１２】
図３は本発明の好ましい実施例のシステム表示図であり、図中、発信者１３が使用者１４と通話したい時、発信側装置１１をネットワーク１０に接続し、更にネットワーク１０を通して受信側装置１２に接続すると、受信側装置１２がネットワークの発送する呼び出しメッセージを受け取り、呼び出しメッセージ中に付帯された識別コードを受信側装置が自身の識別コードと対比して、その結果が相互に符合した時に、使用者１４に呼び出し通知を提示する。本実施例は無線通信システムの環境とされ、発信側装置１１と受信側装置はいずれも携帯電話とされ、ネットワーク１０は無線通信ネットワークとされる。
【００１３】
図４は本発明の好ましい実施例の方法のフローチャートである。そのステップは、接続要求ステップ（Ｓ３０１）、呼び出しメッセージブロードキャストステップ（Ｓ３０２）、呼び出しメッセージ受信ステップ（Ｓ３０３）、呼び出し通知提示ステップ（Ｓ３０４）、接続構築ステップ（Ｓ３０５）を具えている。図５の本発明の実施例の接続拒否表示図も参照されたい。図中、ステップ（Ｓ３０１）において、発信側装置１１は先ず接続メッセージ４０１を送信して受信側装置１２との接続構築を要求する。この接続メッセージ４０１中には受信側装置１２の識別コードが包含される。ステップ（Ｓ３０２）において、ネットワーク１０はこの接続メッセージ４０１を受け取った後、受信側装置１２の識別コードを具えた呼び出しメッセージ４０２を受信側装置１２の所在のエリアにブロードキャスト発送する。
【００１４】
ステップ（Ｓ３０３）において、受信側装置１２の無線受信装置１２０がこの呼び出しメッセージ４０２を受け取り、並びにそれを通信ソフト１２１に伝送し、通信ソフト１２１が呼び出しメッセージ４０２の付帯する識別コードを取り出し、自身の識別コードと比較し、この対比の結果が符合すれば、この呼び出しメッセージ４０２の目的を確認する。ステップ（Ｓ３０４）において、呼び出し通知すると確定すれば、マンマシンインタフェース１２２に呼び出し通知を使用者１４に提示することを要求する。最後に、使用者１４が制限時間（システムが設定するか或いは使用者が個別に設定する）内に電話が取られたか否かにより、接続構築応答を発生し、ネットワーク１０を通して発信側装置１１と接続を構築する（Ｓ３０５）か、接続構築応答を発生しない（Ｓ３０６）。
【００１５】
受信側装置１２が通話通知を提示する時は、計時装置も起動して待ち時間の計算を行ない、ネットワーク１０は呼び出しメッセージ４０２のブロードキャスト時に計数動作も行ない、使用者１４が限定時間内に電話を取らなければ、受信側装置１２は通話通知提示を停止する。使用者１４が通話拒否し手動で終了しても情況は同じである。
【００１６】
反対に、使用者１４が通話を選択すると、図６の本発明の実施例の通話接続表示図に示されるように、開始から電話を取らない情況と同じのいくつかのステップの後、通話選択時に、通信ソフト１２１が無線受信装置１２０を通してネットワーク１０と接続を構築し、並びに発信側装置１１とエンドツーエンド（ｅｎｄ−ｔｏ−ｅｎｄ）サービスを構築する。
【００１７】
使用者１４に発信側装置１１を認識させるため、ネットワーク１０のブロードバンド送信する呼び出しメッセージ４０２は更に発信側装置１１のソースコード、例えば電話番号を包含し、これにより受信側装置１２のマンマシンインタフェース１２２に使用者１４に対し即刻提示させることができる。当然、受信側装置１２は更に個人データベースを包含し、それには発信側装置に対応するデータ、例えば、姓名、ニックネーム、個別の携帯電話ベル音、個別のイメージ、写真などが保存され、受信側装置１２がソースコードを対応する携帯電話ベル音、イメージに転成して使用者１４に提示することができる。
【００１８】
以上は説明のために提示された本発明の実施例であって本発明の範囲を限定するものではなく、本発明に基づきなしうる細部の修飾或いは改変は、いずれも本発明の請求範囲に属するものとする。
【図面の簡単な説明】
【００１９】
【図１】周知の接続拒否表示図である。
【図２】周知の接続表示図である。
【図３】本発明の実施例のシステム表示図である。
【図４】本発明の実施例の方法のフローチャートである。
【図５】本発明の実施例の接続拒否表示図である。
【図６】本発明の実施例の接続表示図である。
【符号の説明】
【００２０】
１３  発信者        １４  使用者        １１  発信側装置
１０  ネットワーク  １２  受信側装置    Ｓ３０１〜Ｓ３０６  ステップ
２０１、４０１  接続メッセージ          ２０２、４０２  呼び出しメッセージ
１２０  無線受信装置                    １２１  通信ソフト
１２２  マンマシンインタフェース
【図１】
2006197201.tif 000003
【図２】
2006197201.tif 000004
【図３】
2006197201.tif 000005
【図４】
2006197201.tif 000006
【図５】
2006197201.tif 000007
【図６】
2006197201.tif 000008